(57)【要約】【課題】簡単かつ安価な構成でありながら、耐久性に優れ、仕切り板をしっかりと収容し、かつガタなどの発生を抑制することができる仕切り板用のフレーム部材、及び当該フレーム部材を用いた仕切り装置を提供すること。【解決手段】フレーム部材１０は、凹状の収容部２０を備え、収容部２０には、端面１１ａ，１２ａが当接する底部２１と、底部２１を挟んで収容部２０の入口Ｅ方向に伸びる第一側部２２及び第二側部２３と、が配され、第一側部２２に稜部２２Ａが配され、第一側部２２が、稜部２２Ａを挟んで基端部２５と先端部２６と、に分かれて形成されるとともに、距離Ｌ１が距離Ｌ２よりも長く形成され、基端部２５が、底部２１から略鉛直上方に立設して配され、先端部２６が、基端部２５よりも収容部２０の入口Ｅを広げる方向に基端部２５に対して傾いて配され、凸部２７が第二側部２３の先端に配されている。【選択図】図２
2018021329.tif 000002
【特許請求の範囲】
【請求項１】
仕切り板の端部が挿入される凹状の収容部を備え、
該収容部には、挿入された前記仕切り板の端面が当接する底部と、
該底部を挟んで前記収容部の入口方向に伸びる第一側部及び第二側部と、が配され、
前記第一側部に稜部が配され、前記第一側部が、前記稜部を挟んで前記底部側の基端部と、前記収容部の入口側の先端部と、に分かれて形成されるとともに、前記先端部の先端から前記稜部までの距離が、前記基端部の基端から前記稜部までの距離よりも長く形成され、
前記基端部が、前記底部から略鉛直上方に立設して配され、
前記先端部が、前記基端部よりも前記収容部の入口を広げる方向に前記基端部に対して傾いて配され、
前記第一側部側に突出する凸部が、前記収容部の入口を構成する前記第二側部の先端に配されたフレーム部材。
【請求項２】
前記底部の幅方向長さ及び前記凸部と前記先端部との距離が、ともに前記仕切り板の板厚よりも長く形成され、
前記底部の鉛直上方に立設して前記凸部の先端を通る仮想面と前記基端部との距離が、前記仕切り板の板厚よりも短い請求項１に記載のフレーム部材。
【請求項３】
仕切り板と、
該仕切り板の端部を介して前記仕切り板を支持する請求項１又は２に記載のフレーム部材と、
を備える仕切り装置。
【発明の詳細な説明】
【技術分野】
【０００１】
本発明は、空間を仕切るために用いられる仕切り装置に利用される仕切り板用のフレーム部材及び当該フレーム部材を利用した仕切り装置に関する。
【背景技術】
【０００２】
例えば、アパート、マンション等の集合住宅のベランダにおいては、プライバシー保護などの観点から、隣家との間に仕切り（パーティション）装置が配される。
この種の仕切り装置は、例えば、ケイ酸カルシウム等の不燃性材料からなる矩形平板状の仕切り板を、アルミ押出し成形材等からなるフレーム部材によって支持し、これを取付けステーによって建築物の躯体に取り付けて固定するようにしている。
【０００３】
フレーム部材が仕切り板を挟んで対向するそれぞれの部位には、仕切り板の端部を収容する凹形状の収容部が形成されている。
【０００４】
ここで、仕切り板の板厚と、これを収容するフレーム部材の収容部の板厚方向の幅と、の間隙が大きいと、風などを受けたときに仕切り板が振動してびびり音等が生じる場合があり好ましくない。
【０００５】
一方、仕切り板はケイ酸カルシウム等の不燃性材料であり表面に塗装を施すものであるが、塗装の厚みの寸法バラツキは比較的大きく、当該塗装の厚さを含めて仕切り板の製品寸法（特に、板厚）を厳しく管理することは難しいといった実情がある。このため、収容部の板厚方向における幅の寸法をつめて間隙を小さくしようとすると、仕切り板の端部が収容部に収容できなくなる事態が生じる場合がある。
【０００６】
そこで、収容部の底部の一端から外側に向けて広がるように傾斜して形成される外向傾斜側面と、底部の他端から外向傾斜側面と略平行に内側に向かって所定距離だけ延在する内向傾斜側面及び内向傾斜側面の終点（突出部）から変曲して外側に向けて広がるように傾斜して形成される外向傾斜側面と、を含んで構成されるフレーム部材が提案されている  （例えば、特許文献１参照。）。
【先行技術文献】
【特許文献】
【０００７】
【特許文献１】特開２００８−２２３４２０号公報
【発明の概要】
【発明が解決しようとする課題】
【０００８】
しかしながら、上記従来のフレーム部材であっても特に仕切り板の板厚が基準よりもやや大きい場合、仕切り板の端部を収容部の底部まで入れづらく、収容部に対して仕切り板を垂直方向に支持することが難しい場合がある。
【０００９】
本発明は上記事情に鑑みて成されたものであり、簡単かつ安価な構成でありながら、耐久性に優れ、製品コストを増大させたり作業性を悪化させたりすることなく、仕切り板をしっかりと収容し、かつガタなどの発生を抑制することができる仕切り板用のフレーム部材、及び当該フレーム部材を用いた仕切り装置を提供することを目的とする。
【課題を解決するための手段】
【００１０】
本発明は、上記課題を解決するため、以下の手段を採用する。
本発明に係るフレーム部材は、仕切り板の端部が挿入される凹状の収容部を備え、該収容部には、挿入された前記仕切り板の端面が当接する底部と、該底部を挟んで前記収容部の入口方向に伸びる第一側部及び第二側部と、が配され、前記第一側部に稜部が配され、前記第一側部が、前記稜部を挟んで前記底部側の基端部と、前記収容部の入口側の先端部と、に分かれて形成されるとともに、前記先端部の先端から前記稜部までの距離が、前記基端部の基端から前記稜部までの距離よりも長く形成され、前記基端部が、前記底部から略鉛直上方に立設して配され、前記先端部が、前記基端部よりも前記収容部の入口を広げる方向に前記基端部に対して傾いて配され、前記第一側部側に突出する凸部が、前記収容部の入口を構成する前記第二側部の先端に配されている。
【００１１】
また、本発明に係るフレーム部材は、さらに、前記底部の幅方向長さ及び前記凸部と前記先端部との距離が、ともに前記仕切り板の板厚よりも長く形成され、前記底部の鉛直上方に立設して前記凸部の先端を通る仮想面と前記基端部との距離が、前記仕切り板の板厚よりも短い。
【００１２】
そして、本発明に係る仕切り装置は、仕切り板と、該仕切り板の端部を介して前記仕切り板を支持する本発明に係るフレーム部材と、を備える。
【発明の効果】
【００１３】
本発明によれば、簡単かつ安価な構成でありながら、耐久性に優れ、製品コストを増大させたり作業性を悪化させたりすることなく、より好適に仕切り板を収容し、かつガタなどの発生を抑制することができる。
【図面の簡単な説明】
【００１４】
【図１】本発明の一実施形態に係る仕切り装置の概要を示す全体構成図である。
【図２】本発明の一実施形態に係る縦フレームを長手方向に直交する平面で切断した状態を示す断面図である。
【図３】本発明の一実施形態に係る仕切り装置における横フレームを長手方向に直交する平面で切断した状態を示す断面図である。
【図４】本発明の一実施形態に係る縦フレームに仕切り板が挿入された状態を示す断面図である。
【発明を実施するための形態】
【００１５】
本発明に係る一実施形態について、図１から図４を参照して説明する。
本実施形態に係る仕切り装置１０は、図１に示すように、矩形状の仕切り板１１，１２の縦端部（端部）１１Ａ，１２Ａを支持する縦フレーム（フレーム部材）１３，１５と、横端部１１Ｂ，１２Ｂを支持する横フレーム１６，１７，１８と、を備えている。なお、場合によっては、仕切り板１１，１２を一枚ものとして、横フレーム１７を省略する場合もある。
【００１６】
仕切り板１１，１２は、従来同様、例えばケイ酸カルシウム等の不燃性材料からなるボードであり、表面に塗装が施されている。
【００１７】
縦フレーム１３，１５は、図２に示すように、仕切り板１１，１２の縦端部１１Ａ，１２Ａが挿入される凹状の縦収容部（収容部）２０を備えている。この縦収容部２０には、縦端部１１Ａ，１２Ａの各端面１１ａ，１２ａが当接する底部２１と、底部２１を挟んで縦収容部２０の入口Ｅ方向に伸びる第一側部２２及び第二側部２３と、が配されている。
【００１８】
第一側部２２には稜部２２Ａが配され、第一側部２２が、稜部２２Ａを挟んで底部２１側の基端部２５と、縦収容部２０の入口Ｅ側の先端部２６と、に分かれて形成されている。基端部２５は平面状に形成されており、底部２１に対して鉛直上方に伸びるように配されている。先端部２６は、基端部２５と同様に平面状に形成されているとともに、基端部２５よりも縦収容部２０の入口Ｅを広げる方向に基端部２５に対して角度θだけ傾いて配されている。先端部２６の先端２６Ａから稜部２２Ａまでの距離Ｌ１は、基端部２５の基端２５Ａから稜部２２Ａまでの距離Ｌ２よりも長く形成されている。
【００１９】
第二側部２３は、第一側部２２の基端部２５と平行に底部２１に対して鉛直上方に伸びるように配されている。縦収容部２０の入口Ｅの一部となる第二側部２３の先端には、第一側部２２側に突出する凸部２７が配されている。
【００２０】
底部２１の幅方向長さＷ及び凸部２７と先端部２６との距離Ｌ３が、ともに仕切り板１１，１２の板厚ｔよりも長くなるように、且つ底部２１に立設して凸部２７の先端を通る仮想面Ｐと基端部２５との距離Ｌ４が、仕切り板１１，１２の板厚ｔよりも短くなるように形成されている。
【００２１】
縦フレーム１３，１５には、後述する例えばＬ字型の取付けステー３０を当該縦フレーム１３，１５に取り付けるためのレール溝Ｒが長手方向に亘って設けられている。
【００２２】
横フレーム１６，１７，１８は、図３に示すように、仕切り板１１，１２の横端部１１Ｂ，１２Ｂが挿入される凹状の横収容部２８を備えている。横収容部２８は、入口側が仕切り板１１，１２の板厚ｔより若干幅広に形成され、仕切り板１１，１２の収容方向に向かって漸次幅狭になるよう断面がテーパ形状に形成されている。
【００２３】
次に本実施形態に係る縦フレーム１３，１５を使用した仕切り装置１０の組立方法及び作用について、図２及び図４を参照して説明する。
【００２４】
まず、縦フレーム１３，１５の一方である、例えば縦フレーム１３に、横フレーム１６，１７，１８を不図示の連結用ビス等を用いて仮組みする。次に、この状態で仕切り板１１，１２の横端部１１Ｂ，１２Ｂを横フレーム１６，１７，１８に形成されている各横収容部２８に挿入し、横収容部２８に沿わせて仕切り板１１，１２を縦フレーム１３の方向へ移動させる。
【００２５】
ここで、底部２１の幅方向長さＷ及び凸部２７と先端部２６との距離Ｌ３が、ともに仕切り板１１，１２の板厚ｔよりも長く形成されている。そのため、仕切り板１１，１２の縦端部１１Ａ，１２Ａは縦フレーム１５の縦収容部２０の入口Ｅよりスムーズに挿入されつつ、先端部２６に沿って底部２１の方向へ導かれる。
【００２６】
ここで、底部２１に立設して凸部２７の先端を通る仮想面Ｐと基端部２５との距離Ｌ４が、仕切り板１１，１２の板厚ｔよりも短く形成されている。そのため、仕切り板１１，１２の端面１１ａ，１２ａが稜部２２Ａを通過したところで仕切り板１１，１２の進入方向を変更して、端面１１ａ，１２ａを底部２１に当接すると、縦端部１１Ａ，１２Ａの第一側部２２側が第一側部２２の基端部２５によって、第二側部２３側が第二側部２３の凸部２７によって、それぞれ押圧される状態となる。こうして仕切り板１１，１２の移動が規制されてそれぞれ縦フレーム１３，１５に固定される。
【００２７】
その後、仕切り板１１，１２のもう一方の縦端部１１Ａ，１２Ａを縦フレーム１５の縦収容部２０に同様に収容する。こうして、仕切り板１１，１２の縦端部１１Ａ，１２Ａは縦フレーム１３，１５の縦収容部２０にそれぞれ収容され、縦フレーム１３，１５が横フレーム１６，１７，１８に対して略直交する位置に固定される。さらに、不図示の連結用ビス等にて正式に締め付けることで各フレームをしっかりと連結して固定する。こうして組み立てられた仕切り装置１０を、取付けステー３０によって建築物の躯体Ｂに取り付けて固定する。
【００２８】
この縦フレーム１３，１５及び仕切り装置１０によれば、仕切り板１１，１２を縦収容部２０に挿入して固定する際、基端部２５と凸部２７とによって仕切り板１１，１２をそれぞれ反対方向から押圧する。そのため、底部２１に対する仕切り板１１，１２の回転移動や直進移動をより好適に規制して仕切り板１１，１２を縦フレーム１３，１５に安定して固定することができる。
【００２９】
この際、底部２１の幅方向長さＷ及び凸部２７と先端部２６との距離Ｌ３が、ともに仕切り板１１，１２の板厚ｔよりも長く形成され、底部２１に立設して凸部２７の先端を通る仮想面Ｐと基端部２５との距離Ｌ４が、仕切り板の板厚ｔよりも短い。そのため、仕切り板１１，１２の板厚ｔが基準値よりも厚めに形成されたものを挿入する際にも、縦収容部２０に容易に挿入でき、基端部２５と凸部２７との間でより好適に押圧して仕切り板１１，１２を安定して固定することができる。
【００３０】
また、第一側部２２の先端部２６が平面状に形成されているので、仕切り板１１，１２を縦収容部２０に滑らせながらスムーズに挿入することができる。そして、第一側部２２の基端部２５が平面状に形成されているので、縦収容部２０に挿入された仕切り板１１，１２を線ではなく面で押圧することができる。
【００３１】
なお、本発明の技術範囲は上記実施の形態に限定されるものではなく、本発明の趣旨を逸脱しない範囲において種々の変更を加えることが可能である。
例えば、本実施形態では、第一側部２２の基端部２５及び先端部２６がともに平面状に形成されているとしているが、先端部は縦端部１１Ａ，１２Ａを挿入しやすい形状であればこれに限らない。また、基端部も縦端部１１Ａ，１２Ａと接触して押圧できる形状であれば平面状に限らない。
【００３２】
また、縦フレーム１３，１５の縦収容部２０の形状を図２に示す形状として説明したが、縦フレーム１３，１５の縦収容部２０の代わりに横フレームの横収容部の形状を同様の形状とすることもできる。また、縦フレーム及び横フレームの双方の収容部の形状を同様の形状とすることもできる。
【００３３】
さらに、本実施形態では、ベランダ等に用いられる仕切り板用のフレーム部材及び仕切り装置に関して説明したが、本発明はこれに限定されるものではなく、室内その他の場所で利用される仕切り板用のフレーム部材及び仕切り板装置であってもよく、固定式、可動式に限らず適用してもよい。
【符号の説明】
【００３４】
１０  仕切り装置
１１，１２  仕切り板
１１Ａ，１２Ａ  縦端部（端部）
１１ａ，１２ａ  端面
１３，１５  縦フレーム（フレーム部材）
２０  縦収容部（収容部）
２１  底部
２２  第一側部
２２Ａ  稜部
２３  第二側部
２５  基端部
２６  先端部
２６Ａ  先端
２７  凸部
Ｅ  入口
Ｐ  仮想面
【図１】
2018021329.tif 000003
【図２】
2018021329.tif 000004
【図３】
2018021329.tif 000005
【図４】
2018021329.tif 000006